(57)【要約】【課題】  遊技盤の裏面側における各基板間の配線処理スペースが圧迫された状態にあったとしても、好適に配線処理を行うことができる遊技機を提供する。【解決手段】  図柄変動ゲームに係る制御を行うための各種制御基板をそれぞれ収容した制御基板保護ケースが、遊技盤の裏面側に複数配設された遊技機であって、前記制御基板保護ケースの一つである、サブ統括制御基板ユニット３１２を構成する保護ケース３１２０上に、複数の制御基板間の配線の取り回しをガイドする溝部３１２３を形成した。【選択図】      図３
2006192161.tif 000002
【特許請求の範囲】
【請求項１】
図柄変動ゲームに係る制御を行うための各種制御基板をそれぞれ収容した制御基板保護ケースが、遊技盤の裏面側に複数配設された遊技機であって、前記制御基板保護ケース上には、複数の前記制御基板間の配線の取り回しをガイドする溝部が形成されたことを特徴とする遊技機。
【請求項２】
図柄変動ゲームに係る制御を行うための各種制御基板をそれぞれ収容した制御基板保護ケースと、遊技機を統括制御するメイン基板を収容したメイン基板保護ケースとが、前記各種制御基板を統括制御するサブ統括制御基板を収容したサブ統括制御基板保護ケースを挟むように遊技盤の裏面側に配設された遊技機であって、前記サブ統括制御基板保護ケース上には、複数の前記制御基板間及び／又は前記メイン基板と前記制御基板との間の配線の取り回しをガイドする溝部が形成されたことを特徴とする遊技機。
【請求項３】
前記溝部には、前記配線を保持するための配線保持片が配設されることを特徴とする請求項１又は２に記載の遊技機。
【請求項４】
前記溝部には、複数の前記制御基板間及び／又は前記メイン基板と前記制御基板との間の電気的接続を中継するための中継基板が配設されることを特徴とする請求項１〜３の何れかに記載の遊技機。
【請求項５】
前記溝部には、当該溝部における電荷の蓄積を軽減するために、アース接続された導電性部材が配設されることを特徴とする請求項１〜３の何れかに記載の遊技機。
【発明の詳細な説明】
【技術分野】
【０００１】
本発明は、パチンコ機等の遊技機に関するものであり、特に、電源電圧又はコマンドを外部入力するためのコネクタに対する基板間配線の接続を前記遊技盤の裏面側から行うために、
遊技動作を制御するメイン基板、各種サブ基板及びサブ統括制御基板がそれぞれ保護ケース内に収容されて前記遊技盤の裏面側に上下方向に列設された遊技機に関するものである。
【背景技術】
【０００２】
従来より、遊技機の一種であるパチンコ機においては、遊技動作を制御する遊技制御基板をメイン基板として設ける一方で、図柄変動ゲームを表示するための図柄表示装置を制御する表示制御基板と、スピーカにおける音の発生動作を制御する音制御基板と、ランプの発光動作を制御するランプ制御基板等とを個々にサブ制御基板としてメイン基板とは別体に設けていた。
【０００３】
このような各種サブ制御基板は、保護ケースに収容されて、それぞれ遊技盤の裏面側に取り付けられるようになっている。これらのうち、表示制御基板は、図柄表示装置と一緒に保護ケース内に収容されることでユニット化され、こうして構成される表示ユニットが遊技盤の裏面側に取り付けられるようになっている（例えば、特許文献１及び特許文献２）。
【０００４】
【特許文献１】特開２００１−２９６１９号公報
【特許文献２】特開２００４−４９２８８号公報
【発明の開示】
【発明が解決しようとする課題】
【０００５】
近時のパチンコ機にあっては、前記図柄表示装置に表示される演出表現がより多様化されてきており、遊技者に対して様々な興趣を与えようとしている。しかし、より多様なゲーム性を実現し、それを制御するには、上述の図柄表示装置や制御基板の外形寸法を大型化したり、あるいは、複数の制御基板を電気的に接続するための中継基板の数や、図柄表示装置、スピーカ及びランプ等の演出装置に制御基板が電気的に接続するための中継基板の数を増大させざるを得ず、その結果として、遊技機裏側における各基板間の基板間配線の収納スペースを圧迫することになり、好適な基板間配線収納の妨げになってしまう問題があった。
【０００６】
本発明は、以上の問題点に鑑みてなされたものであって、その目的は、遊技盤の裏面側における各基板間の基板間配線収納スペースを有効に確保し、基板間配線の収納を好適に行うことができる遊技機を提供することにある。
【課題を解決するための手段】
【０００７】
上記課題を解決するための、請求項１記載の発明に係る遊技機は、図柄変動ゲームに係る制御を行うための各種制御基板をそれぞれ収容した制御基板保護ケースが、遊技盤の裏面側に複数配設された遊技機であって、前記制御基板保護ケース上には、複数の前記制御基板間の基板間配線の取り回しをガイドする溝部が形成されたことを特徴とする。
【０００８】
かかる構成のように、遊技盤の裏面側における各制御基板間の基板間配線収納スペースとして、保護ケース（制御基板保護ケース、メイン基板保護ケース、サブ統括制御基板保護ケース）上に基板間配線（ハーネス）をガイドさせる溝部を形成したので、基板間配線の収納を好適に行うことができる。前記溝部は例えば、収納される基板に対向する面側に形成され、保護ケースの外周を迂回させることなく、基板間配線を取り回すことができる。
【０００９】
上記課題を解決するための、請求項２記載の発明に係る遊技機は、図柄変動ゲームに係る制御を行うための各種制御基板をそれぞれ収容した制御基板保護ケースと、遊技機を統括制御するメイン基板を収容したメイン基板保護ケースとが、前記各種制御基板を統括制御するサブ統括制御基板を収容したサブ統括制御基板保護ケースを挟むように遊技盤の裏面側に配設された遊技機であって、前記サブ統括制御基板保護ケース上には、複数の前記制御基板間及び／又は前記メイン基板と前記制御基板との間の基板間配線の取り回しをガイドする溝部が形成されたことを特徴とする。
【００１０】
かかる構成のように、制御基板保護ケースとメイン基板保護ケースとに挟まれるように配設されたサブ統括制御基板保護ケース上に、基板間配線（ハーネス）をガイドさせる溝部を形成し、当該溝部を遊技盤の裏面側における各基板間の配線の収納スペースとしたことにより、基板間配線の収納を好適に行うことができる。前記溝部は例えば、前記サブ統括制御基板に対向する面側に形成され、サブ統括制御基板保護ケースの外周を迂回させることなく、複数の前記制御基板間及び／又は前記メイン基板と前記制御基板との間の配線を取り回すことができる。
【００１１】
上記課題を解決するための、請求項３記載の発明に係る遊技機は、請求項１又は２に記載の遊技機において、前記溝部には、前記基板間配線を保持するための配線保持片が配設されることを特徴とする。
【００１２】
かかる構成のように、配線保持片により基板間配線が保持されるため、基板間配線が溝部から膨出することを防ぎ、遊技機のメンテナンス等の作業時に、当該基板間配線に作業者の手等がひっかかって電気的な接続が絶たれるなどのヒューマンエラーを防止することができる。
【００１３】
上記課題を解決するための、請求項４記載の発明に係る遊技機は、請求項１〜３の何れかに記載の遊技機において、前記溝部には、複数の前記制御基板間及び／又は前記メイン基板と前記制御基板との間の電気的接続を中継するための中継基板が配設されることを特徴とする。
【００１４】
一般に長尺の基板間配線を使用する場合には、ノイズ等の影響によって、コマンド化け等の不具合が生じる可能性があるため、好ましくない。本発明によれば、溝部の形成により好適に基板間配線をガイドしつつも、中継基板の設置によって基板間の電気的接続を中継することができるため、長尺の基板間配線を採用することなく、好適に基板間の電気的接続をなすことができる。
【００１５】
また、中継基板に接続された基板間配線を脱抜することによって、前記中継基板が配設された保護ケースを容易に取り外すことができ、メンテナンスに要する作業性を向上させることができる。
【００１６】
上記課題を解決するための、請求項５記載の発明に係る遊技機は、請求項１〜３の何れかに記載の遊技機において、前記溝部には、当該溝部における電荷の蓄積を軽減するために、アース接続された導電性部材が配設されることを特徴とする。
【００１７】
かかる構成とすることにより、溝部に電荷が蓄積することを防止できるので、保護ケースに収容された制御基板に対して悪影響を及ぼすことを防止できる。
【発明の効果】
【００１８】
以上説明したように、本発明によれば、遊技盤の裏面側における各基板間の配線の収納スペースとして、保護ケース上に基板間配線（ハーネス）をガイドさせる溝部を形成したので、基板間配線の収納を好適に行うことができる。
【発明を実施するための最良の形態】
【００１９】
次に、本発明に係る遊技機につき、好適な実施形態を挙げて、図面を参照しながら、以下詳細に説明する。なお、本実施形態では、遊技機として、パチンコ球を遊技媒体として使用する一般的なパチンコ機を例にして説明する。
【００２０】
図１は、本実施形態における遊技機の構成を示す正面図である。図１に示すように、遊技機１０において機体の外郭をなす外枠１１の開口前面側には、各種の遊技用構成部材をセットする縦長方形の中枠１２が開閉及び着脱自在に組み付けられている。また、中枠１２の前面側には、機内部に配置された遊技盤１３を透視保護するためのガラス枠を備えた前枠１４と上球皿１５が共に横開き状態で開閉可能に組付け整合されている。さらに、前記中枠１２の下部には下球皿１６、打球発射装置１７等が装着されている。
【００２１】
また、遊技盤１３の盤面には、略円形状に湾曲形成したレールにより囲まれた遊技領域の前面において、その遊技領域に打ち出された遊技球（図示せず）を案内する多数の遊技釘が配設されており、前記遊技領域の縦央やや下部には、遊技球をスイッチ（図示せず）で検出し得る始動入賞装置２２と、この始動入賞装置２２の直上方に配設されて遊技領域の略中央に位置し、図柄表示装置２１が後方から臨むセンター役物５０と、始動入賞装置２２の直下方に配置された大型電動式の可変入賞装置２３等が備えられている。
【００２２】
図柄表示装置２１は、図柄を変動させて図柄変動ゲームを表示する液晶画面、具体的には、複数列（例えば３列）の図柄を各列毎に表示する液晶画面を有している。また、可変入賞装置２３の下方には、アウト口２４が設けられており、遊技領域を流下しアウト球として、遊技盤の裏側へ排出される遊技球が通過するようになっている。
【００２３】
センター役物５０は、前記遊技領域の左右幅方向の大部分を占め、その略中央位置に開設された表示領域を介して図柄表示装置２１が後方から臨むように構成され、当該センター役物５０を遊技盤１３に開設した装着孔（図示せず）に前側から挿入した状態で遊技盤１３にネジ止めされる。
【００２４】
なお、本実施形態における図柄変動ゲームでは、図柄表示装置２１の表示領域（前面側）に表示される、例えば３列の図柄が、同一図柄となる図柄組合せ態様で確定停止した状態が大当り状態とされる。なお、前記確定停止とは、前記表示領域において、各図柄が完全に停止した状態を示す。そしてこのとき、多数の遊技球を獲得できるチャンスが遊技者に付与される。また、前記表示領域に表示される図柄が３列で表示される場合、そのうち特定の２列の図柄が同一図柄となって表示された状態がリーチ状態とされる。また、例えば、全て異なる図柄となったりして、各図柄が同一図柄とならずに確定停止した状態がはずれ状態とされる。前記大当り状態が特別遊技状態に相当する。
【００２５】
そして、打球発射装置１７の操作により遊技盤１３の遊技領域に打ち出された遊技球を始動入賞装置２２内に配設された前記スイッチが検出するか、若しくは、始動保留球数の記憶値が１〜４である場合、図柄表示装置２１で前記図柄変動ゲームが行われるようになっている。
【００２６】
また、可変入賞装置２３は、扉状の開閉板が、後側の電磁ソレノイド（図示せず）に係る設定駆動条件に基づいて、通常の閉鎖状態から開放状態に変化し得るよう構成されて、前記図柄変動ゲームの結果、特別遊技が発生すると前記大当り状態として前記開閉板が開放して多数の遊技球を得る機会が付与されるようになっている。
【００２７】
一方、図２は、本実施形態における遊技盤の裏側の構成を示す背面図である。図２に示すように、遊技機１０の裏側は、遊技機に配設される各種制御ユニットが、図示しない各種制御基板を透明樹脂製の保護ケース内にそれぞれ収容されてなり、保護ケースの外部から各種制御基板をそれぞれ視認し得るようになっている。
【００２８】
具体的には、メイン基板（図示せず）が透明樹脂製の保護ケース内に収容されてなるメイン基板ユニット３２と、図示しない図柄表示装置及び表示制御基板が透明樹脂製の保護ケース内に収容され、前記表示制御基板に接続されたコネクタ３１１１が保護ケースから露出され、裏樋３３によって遊技盤１３（図１参照）の裏側に固定された表示ユニット３１１と、図柄表示、音声、ランプなどの演出制御を統括制御するサブ統括制御基板３１２１が透明樹脂製の保護ケース３１２０内に収容され、サブ統括制御基板３１２１に接続されたコネクタ３１２２が保護ケース３１２０から露出されて構成されたサブ統括制御基板ユニット３１２とが、遊技機１０の裏面側に上下に列設されている。
【００２９】
なお、メイン基板ユニット３２に収容される前記メイン基板は、遊技機で行う遊技内容を特定するものであって、遊技盤１３（図１参照）等を交換して遊技機の遊技内容を変更する所謂機種変更時には交換を要する専用基板である。
【００３０】
また、サブ統括制御基板は、メイン基板が出力した制御信号（制御コマンド）に基づき、表示制御基板、ランプ制御基板及び音声制御基板を統括的に制御する基板である。表示制御基板は、メイン基板とサブ統括制御基板とが出力した制御信号（制御コマンド）に基づき、図柄表示装置２１の表示態様（図柄、背景、文字などの表示画像）を制御する。なお、この表示制御基板は、図柄表示装置２１と共に保護ケースに収容されて表示ユニットを構成する。ランプ制御基板は、メイン基板とサブ統括制御基板とが出力した制御信号（制御コマンド）に基づき、前枠１４に配設された枠ランプや遊技盤１３上に配設された遊技盤ランプの発光態様（点灯（点滅）／消灯のタイミングなど）を制御する。音声制御基板（図示せず）は、メイン基板とサブ統括制御基板とが出力した制御信号（制御コマンド）に基づき、遊技機１０に設けられたスピーカの音声出力態様（音声出力のタイミングなど）を制御する。
【００３１】
また、以下の説明において、左・右とは、特に断りのない限り、図２に示すように遊技機１０の裏側から見た状態において指称するものとする。
【００３２】
図３は、本実施形態のサブ統括制御基板ユニットの構成を示す図であり、図３（ａ）は遊技機１０の裏側から見たサブ統括制御基板ユニットの透過正面図、図３（ｂ）は、サブ統括制御基板ユニットを遊技機の上方からみた透過上面図である。図３（ａ），（ｂ）に示すように、サブ統括制御基板ユニット３１２は、透明樹脂製の保護ケース３１２０内にサブ統括制御基板３１２１が収納されている。
【００３３】
そして、保護ケース３１２０の表面（遊技盤の裏側の表面）には、サブ統括制御基板３１２１に接続されたコネクタ３１２２が設けられている。なお、この保護ケース３１２０は、収納対象となるサブ統括制御基板３１２１自体及びそれに接続される基板間配線を保護するための収納筐体である。以下の保護ケースについても、同様に収納対象及びその基板間配線を保護する収納筐体として説明する。
【００３４】
また、保護ケース３１２０には、遊技機１０の裏側に設置される各種基板間の基板間配線（ハーネス）を収納するために保護ケース３１２０の表面を遊技盤１０の前面方向に凹ませた溝部３１２３が形成されている。
【００３５】
この溝部３１２３が形成される態様としては、コネクタ３１２２近傍にあって、コネクタ３１２２から引き出された基板間配線（ハーネス）をガイドし、収納する溝部３１２３ａや、遊技機１０の裏側においてサブ統括制御基板ユニット３１２の上下に配設された表示ユニット３１１のコネクタ３１１１（図２参照）とメイン基板ユニット３２のコネクタ３２１（図２参照）との間の基板間配線（ハーネス）をガイドし、収納する溝部３１２３ｂがある。
【００３６】
そして、溝部３１２３には、例えば、溝部３１２３ａに見られるように、収納された基板間配線（ハーネス）を当該溝部３１２３内に留めておくための配線保持片３１２４が設置される。この配線保持片３１２４は、溝部３１２３ａの開口部分の一部を覆うように保護ケース３１２０から遊技機１０の左右方向に突出して形成されている。
【００３７】
また、溝部３１２３には、例えば、溝部３１２３ｂに見られるように、当該溝部３１２３ｂ内に、複数の中継コネクタ３１２６（例えば、２つの中継コネクタ３１２６ａ，３１２６ｂ）を備えた中継基板３１２５が設置されている。
【００３８】
これは、サブ統括制御基板ユニット３１２を遊技機１０から着脱する機会が多い場合などでは、溝部３１２３ｂがサブ統括制御基板ユニット３１２の上下に配設された表示ユニット３１１のコネクタ３１１１（図２参照）とメイン基板ユニット３２のコネクタ３２１（図２参照）との間の基板間配線（ハーネス）でサブ統括制御基板ユニット３１２が押さえつけられてしまい、サブ統括制御基板３１２の着脱時における基板間配線の取り外し作業が困難となりうることに鑑みたものである。
【００３９】
このように、溝部３１２３ｂを収納する溝として機能させるに留めるのではなく、中継コネクタ３１２６に接続された基板間配線（ハーネス）、例えば、コネクタ３１１１（図２参照）に配線された中継コネクタ３１２６ａや、コネクタ３２１（図２参照）に配線された中継コネクタ３１２６ｂを着脱するだけでサブ統括制御基板ユニット３１２を遊技機１０から着脱することができる。
【００４０】
さらに、中継コネクタ３１２６を設けることにより、基板間配線（ハーネス）自体の長さも短くすることができるので、長尺の基板間配線（ハーネス）を使用することによってノイズ等を拾うことに起因するコマンド化け等の不具合の発生を少なくできる。さらには、メンテナンス時に作業者が基板間配線（ハーネス）を引っ掛けるという事故が減少する。特に、基板間配線（ハーネス）を中継コネクタ３１２６によって中継することにより、基板間配線（ハーネス）において中継される部分が固定されるので、基板間配線（ハーネス）が自由に動くようになっている場合よりも、拾うノイズが安定し、機器としてのメンテナンスがしやすくなる。
【００４１】
本実施形態では、遊技機１０の裏側において、サブ統括制御基板ユニット３１２が表示ユニット３１１及びメイン基板ユニット３２に挟まれるように列設される場合について説明したので、サブ統括制御基板ユニット３１２を構成する保護ケース３１２０に溝部３１２６が形成された例を挙げたが、必要に応じて、他のユニットに挟まれないユニットを構成する保護ケース上に溝部が形成されてもよい。例えば、上述の溝部３１２３ａのように、自身のコネクタから引き出される基板間配線（ハーネス）を当該保護ケース上で引き回す必要がある場合に有用である。
【００４２】
従って、コネクタ３１２２に一端が接続された基板間配線（ハーネス）を溝部３１２３ａ内に収納し、その基板間配線（ハーネス）を保護ケース３１２０から飛び出さないように配線保持片３１２４で保持しつつ、他端を中継コネクタ３１２６ａに接続し、この中継コネクタ３１２６ａに導通する中継コネクタ３１２６ｂに一端が接続された基板間配線（ハーネス）の他端をメイン基板ユニット３２のコネクタ３２１（図２参照）に接続することで、サブ統括制御基板ユニット３１２のコネクタ３１２２とメイン基板ユニット３２のコネクタ３２１との接続をなしてもよい。
【００４３】
また、本実施形態では、溝部３１２６が形成される方向を、サブ統括制御基板ユニット３１２を基準として他のユニット（表示ユニット３１１及びメイン基板ユニット３２）が設置された方向（遊技機１０の上下方向）としたが、この方向に限られない。例えば、溝部が形成される保護ケース上で基板間配線（ハーネス）を引き回すなどの目的により、他のユニットの設置位置にかかわらず、遊技機１０左右の幅方向に形成してもよい。
【００４４】
以上のように、本発明によれば、遊技盤の裏面側における各基板間の配線の収納スペースとして、基板間配線（ハーネス）をガイドし、収納する溝部を保護ケース上に形成したので、基板間配線の収納を好適に行うことができる。
【００４５】
（他の実施形態）
次に、本発明に係る遊技機の他の実施形態について図面を参照して以下に説明する。図４は、本実施形態のサブ統括制御基板ユニットの構成を示す図であり、図４（ａ）は遊技機１０の裏側から見たサブ統括制御基板ユニットの透過正面図、図４（ｂ）は、サブ統括制御基板ユニットを遊技機の上方からみた透過上面図である。図４（ａ），（ｂ）に示すように、サブ統括制御基板ユニット３１２は、透明樹脂製の保護ケース３１２０内にサブ統括制御基板３１２１が収納されている。
【００４６】
そして、保護ケース３１２０の表面（遊技盤の裏側の表面）には、サブ統括制御基板３１２１に接続されたコネクタ３１２２が露出している。なお、この保護ケース３１２０は、収納対象となるサブ統括制御基板３１２１自体及びそれに接続される基板間配線を保護するための収納筐体である。以下の保護ケースについても、同様に収納対象及びその基板間配線を保護する収納筐体として説明する。
【００４７】
また、保護ケース３１２０には、遊技機１０の裏側に設置される各種基板間の基板間配線（ハーネス）を収納するために保護ケース３１２０の表面を遊技盤１０の前面方向に凹ませた溝部３１２３が形成されている。
【００４８】
この溝部３１２３が形成される態様としては、コネクタ３１２２近傍にあって、コネクタ３１２２から引き出された基板間配線（ハーネス）をガイドし、収納する溝部３１２３ａや、遊技機１０の裏側においてサブ統括制御基板ユニット３１２の上下に配設された表示ユニット３１１のコネクタ３１１１（図２参照）とメイン基板ユニット３２のコネクタ３２１（図２参照）との間の基板間配線（ハーネス）をガイドし、収納する溝部３１２３ｂがある。
【００４９】
そして、溝部３１２３には、例えば、溝部３１２３ａに見られるように、収納された基板間配線（ハーネス）を当該溝部３１２３内に留めておくための配線保持片３１２４が設置される。この配線保持片３１２４は、溝部３１２３ａの開口部分の一部を覆うように保護ケース３１２０から遊技機１０の左右方向に突出して形成されている。
【００５０】
また、溝部３１２３には、例えば、溝部３１２３ｂに見られるように、当該溝部３１２３ｂ内に、複数の中継コネクタ３１２６（例えば、２つの中継コネクタ３１２６ａ，３１２６ｂ）を備えた中継基板３１２５が設置されている。
【００５１】
これは、サブ統括制御基板ユニット３１２を遊技機１０から着脱する機会が多い場合などでは、溝部３１２３ｂがサブ統括制御基板ユニット３１２の上下に配設された表示ユニット３１１のコネクタ３１１１（図２参照）とメイン基板ユニット３２のコネクタ３２１（図２参照）との間の基板間配線（ハーネス）でサブ統括制御基板ユニット３１２が押さえつけられてしまい、サブ統括制御基板３１２の着脱時における基板間配線の取り外し作業が困難となりうることに鑑みたものである。
【００５２】
このように、溝部３１２３ｂを収納する溝として機能させるに留めるのではなく、中継コネクタ３１２６に接続された基板間配線（ハーネス）、例えば、コネクタ３１１１（図２参照）に配線された中継コネクタ３１２６ａや、コネクタ３２１（図２参照）に配線された中継コネクタ３１２６ｂを着脱するだけでサブ統括制御基板ユニット３１２を遊技機１０から着脱することができる。
【００５３】
さらに、中継コネクタ３１２６を設けることにより、基板間配線（ハーネス）自体の長さも短くすることができるので、長尺の基板間配線（ハーネス）を使用することによってノイズ等を拾うことに起因するコマンド化け等の不具合の発生を少なくできる。さらには、メンテナンス時に作業者が基板間配線（ハーネス）を引っ掛けるという事故が減少する。
【００５４】
そして、本実施形態では、溝部３１２３における電荷の蓄積を軽減するために、遊技機１０の金属部分などにアース接続されたアース接続穴３１２８を溝部３１２３上に設け、アース接続穴３１２８が形成されたことによってアース接続された導電性部材３１２７（例えば、導電性の金属テープ）が当該溝部３１２３に配設されている。（図中、導電性部材３１２７が配設される領域をハッチング表示した。）
【００５５】
なお、図４（ａ），（ｂ）中、溝部３１２３ｂのように、中継コネクタ３１２６を具備した中継基板３１２５が当該溝部３１２３ｂ上に設置されている場合には、当該中継基板と当該溝部３１２３ｂとの間に導電性部材３１２７が配設される。
【００５６】
一般に、例えば、保護ケースがプラスチック材で構成される場合、静電気等が発生し、内部の素子及び回路に影響を与えることがある。（特にプラスチック材の「曲げ」の部分、先端部分には電荷が集中しやすいという傾向がある。）このため、上記のように、アース接続された導電性部材３１２７を溝部３１２３に配設することにより、溝部３１２３に電荷が蓄積することを防止でき、結果として保護ケースに収容された制御基板（本実施形態では、保護ケース３１２０に収容されたサブ統括制御基板３１２１）に対して悪影響を及ぼすことを防止できる。
【００５７】
本実施形態においても、前述の実施形態と同様、遊技機１０の裏側において、サブ統括制御基板ユニット３１２が表示ユニット３１１及びメイン基板ユニット３２に挟まれるように列設される場合について説明したので、サブ統括制御基板ユニット３１２を構成する保護ケース３１２０に溝部３１２３が形成された例を挙げたが、必要に応じて、他のユニットに挟まれないユニットを構成する保護ケース上に溝部が形成されてもよい。例えば、上述の溝部３１２３ａのように、自身のコネクタから引き出される基板間配線（ハーネス）を当該保護ケース上で引き回す必要がある場合に有用である。
【００５８】
従って、コネクタ３１２２に一端が接続された基板間配線（ハーネス）を溝部３１２３ａ内に収納し、その基板間配線（ハーネス）を保護ケース３１２０から飛び出さないように配線保持片３１２４で保持しつつ、他端を中継コネクタ３１２６ａに接続し、この中継コネクタ３１２６ａに導通する中継コネクタ３１２６ｂに一端が接続された基板間配線（ハーネス）の他端をメイン基板ユニット３２のコネクタ３２１（図２参照）に接続することで、サブ統括制御基板ユニット３１２のコネクタ３１２２とメイン基板ユニット３２のコネクタ３２１との接続をなしてもよい。
【００５９】
また、本実施形態では、溝部３１２３が形成される方向を、サブ統括制御基板ユニット３１２を基準として他のユニット（表示ユニット３１１及びメイン基板ユニット３２）が設置された方向（遊技機１０の上下方向）としたが、この方向に限られない。例えば、溝部が形成される保護ケース上で基板間配線（ハーネス）を引き回すなどの目的により、他のユニットの設置位置にかかわらず、遊技機１０左右の幅方向に形成してもよい。
【００６０】
さらに、中継コネクタ３１２６を、コネクタ３１１１（図２参照）とコネクタ３２１（図２参照）とを単に中継する接続部材として位置づけるのではなく、中継コネクタ３１２６をサブ統括制御基板３１２１に接続することにより、メイン基板ユニット遊技機１０の裏側における配線（ハーネス）がそれぞれどの基板間を結線しているのかが分かりやすくなり（例えば、中継コネクタ３１２６がサブ統括制御基板ユニット３１２上に設置されていれば、当該ユニットの基板に結線されていると識別できる。）、メンテナンス時に作業者が作業しやすくなる。
【図面の簡単な説明】
【００６１】
【図１】本発明に係る遊技機の一実施形態における構成を示す正面図。
【図２】本発明に係る遊技機の一実施形態における構成を示す背面図。
【図３】本発明に係る遊技機の一実施形態におけるサブ統括制御ユニットの構成を示す図。
【図４】本発明に係る遊技機の他の実施形態におけるサブ統括制御ユニットの構成を示す図。
【符号の説明】
【００６２】
１０  遊技機
１１  外枠
１２  中枠
１３  遊技盤
１４  前枠
１５  上球皿
１６  下球皿
１７  打球発射装置
２１  図柄表示装置
２２  始動入賞装置（始動入賞口）
２３  可変入賞装置（大入賞口）
２４  アウト口
３１１  表示ユニット
３１１１  コネクタ
３１２  サブ統括制御基板ユニット
３１２０  保護ケース
３１２１  サブ統括制御基板
３１２２  コネクタ
３１２３  溝部
３１２４  配線保持片
３１２５  中継基板
３１２６  中継コネクタ
３１２７  導電性金属テープ
３１２８  アース接続穴
３２  メイン基板ユニット
３２１  コネクタ
５０  センター役物
【図１】
2006192161.tif 000003
【図２】
2006192161.tif 000004
【図３】
2006192161.tif 000005
【図４】
2006192161.tif 000006